(57)【要約】【課題】データ送信装置から送信された画像データを受信して画像データ出力装置に転送することが可能なデータ通信端末を提供すること。【解決手段】本発明にかかるデータ通信端末１１は、携帯電話やＰＣ等のデータ送信装置から送信された画像データを受信する受信部１２と、表示装置１６に電気的に接続可能なコネクタ１３と、受信部１２によって受信された画像データをコネクタ１３を介して表示装置１６に転送するコントローラ１４と、を備える。【選択図】図１
2012222716.tif 000002
【特許請求の範囲】
【請求項１】
データ送信装置から送信された画像データを受信する受信部と、
画像データ出力装置に電気的に接続可能なコネクタと、
前記受信部によって受信された画像データを前記コネクタを介して前記画像データ出力装置に転送する制御部と、を備えたデータ通信端末。
【請求項２】
前記画像データを保存するメモリをさらに備えた請求項１に記載のデータ通信端末。
【請求項３】
前記制御部は、
前記画像データ出力装置に前記画像データを保存する記憶領域がある場合、当該画像データ出力装置に対して画像データを転送することを特徴とする請求項１又は２に記載のデータ通信端末。
【請求項４】
前記制御部は、
前記画像データ出力装置に前記画像データを保存する記憶領域が無い場合、スリープ状態になることを特徴とする請求項３に記載のデータ通信端末。
【請求項５】
前記画像データ出力装置に前記画像データを保存する記憶領域が無い場合にその旨を所定のアドレス宛に通知する送信部、をさらに備えた請求項４に記載のデータ通信端末。
【請求項６】
前記制御部は、
前記画像データ出力装置に付加された外部メモリに前記画像データを保存する記憶領域がある場合、当該外部メモリに対して当該画像データを転送することを特徴とする請求項１〜３のいずれか一項に記載のデータ通信端末。
【請求項７】
前記制御部は、
前記外部メモリ及び前記画像データ出力装置に前記画像データを保存する記憶領域が無い場合、スリープ状態になることを特徴とする請求項６に記載のデータ通信端末。
【請求項８】
前記外部メモリ及び前記画像データ出力装置に前記画像データを保存する記憶領域が無い場合にその旨を所定のアドレス宛に通知する送信部、をさらに備えた請求項７に記載のデータ通信端末。
【請求項９】
データ送信装置から送信された画像データを受信し、
前記画像データを、画像データ出力装置に電気的に接続可能なコネクタを介して当該画像データ出力装置に転送する、データ通信端末の制御方法。
【発明の詳細な説明】
【技術分野】
【０００１】
本発明は、データ通信端末及びその制御方法に関する。
【背景技術】
【０００２】
近年、移動体通信機能を有するデジタルフォトフレームが販売されている。この移動体通信機能を有するデジタルフォトフレームは、携帯電話やＰＣから無線で送信された画像データを受信して表示画面に表示させることができる。
【０００３】
関連する技術が特許文献１及び特許文献２に開示されている。
【０００４】
特許文献１に開示されたデジタル写真フレームは、外部からデジタル写真データを内部へ取り込むデータ入力手段と、デジタル写真データをカラー写真として表示する平面ディスプレイと、デジタル写真データを記憶する記憶手段と、これら各要素を内蔵し、写真フレームとして機能する筺体と、この筺体上に設けられた各種操作ボタンと、を備える。
【０００５】
特許文献２に開示された画像通信装置は、画像通信装置本体と画像表示装置とによって構成されている。画像通信装置本体は、通信回線を介して画像データを受信する画像データ受信手段と、所定の条件に従って、受信した画像データから特定の画像データを抽出する画像データ抽出手段と、この抽出された画像データを転送する画像データ転送手段と、を有する。画像表示装置は、画像通信装置本体から転送された画像データを保持する画像データ保持手段と、画像データ保持手段が保持している画像データを展開し、表示する表示手段と、画像通信装置本体から独立している筐体と、を有する。ここで、画像通信装置本体の概観は一般的なファクシミリ装置の概観と同様であり、画像表示装置の概観はいわゆる写真立ての形状にデザインされた表示専用の装置である。つまり、この画像表示装置は、それ自体に移動体通信機能を有しているものと考えられる。
【先行技術文献】
【特許文献】
【０００６】
【特許文献１】特開２００３−１６９７３４号公報
【特許文献２】特開２００２−０９４７２９号公報
【発明の概要】
【発明が解決しようとする課題】
【０００７】
ところで、移動体通信機能を有しないデジタルフォトフレーム（画像データ出力装置）も既に市場に出回っている。しかし、移動体通信機能を有しないデジタルフォトフレームは、携帯電話やＰＣ等のデータ送信装置から送信された画像データを受信して表示画面に表示させることができないという問題があった。
【０００８】
なお、ユーザは、移動体通信端末を有するデジタルフォトフレームに興味を持ったとしても、移動体通信機能を有しないデジタルフォトフレームを既に購入済みの場合、費用が嵩む等の理由により購入をあきらめる可能性が高い。
【０００９】
このように、移動体通信機能を有しない画像データ出力装置は、携帯電話やＰＣ等のデータ送信装置から送信された画像データを受信して表示画面に表示させることができないという問題があった。
【００１０】
本発明は、このような問題を解決するためになされたものであり、データ送信装置から送信された画像データを受信して画像データ出力装置に転送することが可能なデータ通信端末を提供することを目的とする。
【課題を解決するための手段】
【００１１】
本発明にかかるデータ通信端末は、データ送信装置から送信された画像データを受信する受信部と、画像データ出力装置に電気的に接続可能なコネクタと、前記受信部によって受信された画像データを前記コネクタを介して前記画像データ出力装置に転送する制御部と、を備える。
【００１２】
また、本発明にかかるデータ通信端末の制御方法は、データ送信装置から送信された画像データを受信し、前記画像データを、画像データ出力装置に電気的に接続可能なコネクタを介して当該画像データ出力装置に転送する。
【発明の効果】
【００１３】
本発明により、データ送信装置から送信された画像データを受信して画像データ出力装置に転送することが可能なデータ通信端末を提供することができる。このデータ通信端末を用いることにより、移動体通信機能を有しない画像データ出力装置であっても、データ送信装置から送信された画像データを表示画面に表示させる等のことができる。
【図面の簡単な説明】
【００１４】
【図１】本発明の実施の形態１にかかる通信システムを示すブロック図である。
【図２】本発明の実施の形態１にかかる通信システムを示すブロック図である。
【図３】本発明の実施の形態１にかかる通信システムの動作を示すフローチャートである。
【発明を実施するための形態】
【００１５】
以下、図面を参照しつつ、本発明の実施の形態について説明する。なお、図面は簡略的なものであるから、この図面の記載を根拠として本発明の技術的範囲を狭く解釈してはならない。また、同一の要素には、同一の符号を付し、重複する説明は省略する。
【００１６】
実施の形態１
図１は、本発明の実施の形態１にかかるデータ通信端末を備えた通信システムのブロック図である。本実施の形態にかかるデータ通信端末は、携帯電話やＰＣ等のデータ送信装置から無線で送信された画像データを受信して表示装置（画像データ出力装置）に転送することができることを特徴とする。それにより、移動体通信機能を有しない表示装置であっても、データ送信装置から無線で送信された画像データを表示画面に表示させることができる。以下、具体的に説明する。
【００１７】
図１に示す通信システムは、表示装置１６と、データ通信端末１１と、を備える。表示装置１６は、例えば、写真立ての形状にデザインされた表示専用の装置、即ち、デジタルフォト−フレームである。データ通信端末１１は、例えば、表示装置１６とコネクタを介して電気的に接続可能なＵＳＢ（Universal Serial Bus）メモリ型の端末である。
【００１８】
表示装置１６は、表示部１９と、本体メモリ１８と、コネクタ１７と、を有する。データ通信端末１１は、受信部１２と、コネクタ１３と、コントローラ（制御部）１４と、を有する。
【００１９】
データ通信端末１１において、受信部１２は、携帯電話やＰＣ等のデータ送信装置（図１において不図示）から無線で送信された画像データを受信する部である。なお、データ通信端末１１にはメールアドレス等の固有の識別情報が割り振られており、受信部１２は、例えば、データ送信装置から当該識別情報宛に送信された画像データをサーバ経由で受信する。
【００２０】
データ通信端末１１側のコネクタ１３は、表示装置１６に電気的に接続可能な端子であり、例えば、ＵＳＢ規格に準拠する機器に接続可能なオス型の端子である。一方、表示装置１６側のコネクタ１７は、データ通信端末１１側のコネクタ１３に対応するメス型の端子である。なお、データ通信端末１１は、コネクタ１３を介して、表示装置１６に画像データを転送したり、表示装置１６から電力を受給したりする。一方、表示装置１６は、コネクタ１７を介して、データ通信端末１１から画像データを受信したり、データ通信端末１１に電力を供給したりする。
【００２１】
コントローラ１４は、データ通信端末１１の各動作に対して、予め定められたプログラムに従って指示を与えるものである。例えば、コントローラ１４は、受信部１２によって受信された画像データをコネクタ１３を介して表示装置１６に転送する処理を行う。
【００２２】
表示装置１６において、本体メモリ１８は、コネクタ１７を介してデータ通信端末１１から転送された画像データを保存する回路である。
【００２３】
表示部１９は、本体メモリ１８に保存された画像データを表示する部である。表示部１９は、例えば、表示装置１６の前面に配置されており、事前の設定に従って当該画像データを表示する。なお、表示部１９は、白黒又はカラーの液晶若しくは有機ＥＬ等により形成されている。
【００２４】
図２は、図１に示す通信システムをより具体的に示した図である。図２に示す通信システムでは、データ通信端末１１がフラッシュメモリ１５をさらに有する。さらに、図２では、表示装置１６に外部メモリ２０が電気的に接続されている。外部メモリ２０は、例えば、ＵＳＢメモリやＳＤカード等の記憶媒体である。
【００２５】
データ通信端末１１において、フラッシュメモリ１５は、受信部１２によって受信された画像データを保存したり、プログラム実行用に必要なデータを保存したりする。
【００２６】
また、表示装置１６に外部メモリ２０が電気的に接続されている場合、データ通信端末１１は画像データを本体メモリ１８及び外部メモリ２０の何れにも転送することができる。このとき、表示装置１６は、本体メモリ１８に加えて外部メモリ２０に保存された画像データも表示部１９に表示させることができる。
【００２７】
次に、図２に示す通信システムの動作を、図３のフローチャートを用いて説明する。図３は、データ通信端末１１が表示装置１６に対して画像データを転送する場合の動作を示すフローチャートである。
【００２８】
データ通信端末１１がスタンバイ状態である場合（ステップＳ２０）、当該データ通信端末１１は移動体通信圏内であるか否かのサーチを実施する（ステップＳ２１）。なお、「スタンバイ状態」とは、データ通信端末１１と表示装置１６とが電気的に接続されることにより、表示装置１６からデータ通信端末１１に対して必要な電力が供給されている状態のことである。
【００２９】
サーチ実施結果が圏外だった場合（ステップＳ２１のＮＯ）、スタンバイ状態に戻り（ステップＳ２０）、所定期間経過後に、再び移動体通信圏内であるか否かのサーチが実施される。
【００３０】
サーチ実施結果が圏内だった場合（ステップＳ２１のＹＥＳ）、データ通信端末１１は、サーバに対して問い合わせを行い、未受信の画像データがあるか否かの確認を行う（ステップＳ２２）。問い合わせの結果、未受信の画像データが無い場合（ステップＳ２２のＮＯ）、スタンバイ状態に戻り（ステップＳ２０）、所定期間経過後に、再び移動体通信圏内であるか否かのサーチから実施される。
【００３１】
未受信の画像データがある場合（ステップＳ２２のＹＥＳ）、データ通信端末１１は当該画像データの受信を行う（ステップＳ２３）。受信に失敗した場合（ステップＳ２３のＮＯ）、スタンバイ状態に戻り（ステップＳ２０）、所定期間経過後に、再び移動体通信圏内であるか否かのサーチから実施される。
【００３２】
受信に成功した場合（ステップＳ２３のＹＥＳ）、次に、データ通信端末１１は、表示装置１６に外部メモリ２０が差し込まれている（電気的に接続されている）か、及び、外部メモリ２０に空き容量があるか、の確認を行う（ステップＳ２４）。外部メモリ２０が差し込まれており、かつ、外部メモリ２０に空き容量がある場合（ステップＳ２４のＹＥＳ）、データ通信端末１１は外部メモリ２０に対して画像データを転送する。転送された画像データは外部メモリ２０に保存され（ステップＳ２８）、保存が完了すると（ステップＳ３０）、スタンバイ状態に戻り（ステップＳ２０）、所定期間経過後に、再び移動体通信圏内であるか否かのサーチから実施される。
【００３３】
外部メモリ２０に空き容量が無い場合（ステップＳ２４のＮＯ）、データ通信端末１１は、本体メモリ１８に空き容量があるか、の確認を行う（ステップＳ２５）。本体メモリ１８に空き容量がある場合（ステップＳ２５のＹＥＳ）、データ通信端末１１は本体メモリ１８に対して画像データを転送する。転送された画像データは本体メモリ１８に保存され（ステップＳ２９）、保存が完了すると（ステップＳ３０）、スタンバイ状態に戻り（ステップＳ２０）、所定期間経過後に、再び移動体通信圏内であるか否かのサーチから実施される。
【００３４】
本体メモリ１８にも空き容量が無い場合（ステップＳ２５のＮＯ）、表示装置１６はこれ以上画像データを保存することができない。そのため、データ通信端末１１は、フラッシュメモリ１５に画像データを保存した状態で、一時的にスリープ状態に移行する（ステップＳ２６）。なお、「スリープ状態」とは、表示装置１６の本体メモリ１８及び外部メモリ２０に空き容量があるか否かに関わらず、画像データの転送を行わない状態のことである。
【００３５】
このスリープ状態は、ユーザにより表示装置１６が操作されるまで継続される（ステップＳ２７のＮＯ）。ユーザにより表示装置１６が操作されると（ステップＳ２７のＹＥＳ）、データ通信端末１１は、外部メモリ２０に空き容量があるかの確認からやり直す。
【００３６】
このような動作を経て、データ通信端末１１から表示装置１６に対して画像データの転送が行われる。
【００３７】
以上のように、上記実施の形態にかかるデータ通信端末は、データ送信装置から無線で送信された画像データを受信して表示装置に転送することができる。その結果、移動体通信機能を有しない表示装置であっても、データ送信装置から送信された画像データを表示画面に表示させることができる。
【００３８】
これまで、通信事業者が指定した商品（移動体通信機能を有する表示装置）のみがデータ送信装置から無線で送信された画像データを表示画面に表示させることが可能であった。しかし、本発明により、データ通信端末に電気的に接続可能な表示装置、例えば、ＵＳＢ規格に準拠する表示装置であれば同様の効果を実現することが可能となる。そのため、通信事業者は、移動体通信機能を有する表示装置以外の表示装置を保有するユーザに対しても回線開通のターゲットを広げることができる。
【００３９】
なお、本発明は上記実施の形態に限られたものではなく、趣旨を逸脱しない範囲で適宜変更することが可能である。上記実施の形態では、データ通信端末１１のコネクタ１３が、ＵＳＢ規格に準拠する機器に接続可能な端子である場合を例に説明したが、これに限られず、他の規格に準拠する機器に接続可能な端子であっても良い。
【００４０】
また、上記実施の形態では、データ通信端末１１による画像データの転送先が、デジタルフォトフレーム等の表示装置１６である場合を例に説明したが、これに限られない。データ通信端末による画像データの転送先は、表示装置１６に加え、デジタルプリンタやテレビ等も含む、画像データ出力装置であっても良い。
【００４１】
また、図２のフローチャートでは、外部メモリ２０及び本体メモリ１８のうち外部メモリ２０の空き容量に優先的に画像データが保存される場合を例に説明したが、これに限られない。本体メモリ１８の空き容量に優先的に画像データが保存される構成に適宜変更可能である。また、表示装置１６に外部メモリ２０が電気的に接続されていない場合には、対応するフローは省略される。
【００４２】
また、データ通信端末１１は、表示装置１６の本体メモリ１８及び外部メモリ２０に空き容量が無く画像データを転送できない場合、その旨を送信者又は予め設定されたアドレス宛にメールで通知する送信部を備えた構成に適宜変更可能である。
【００４３】
また、上述のように、データ通信端末１１にはメールアドレス等の固有の識別情報が割り振られるが、その際、ＳＩＭカード（Subscriber Identity Module Card）が必須である場合には、データ通信端末１１はＳＩＭカードを差し込み可能な形状に形成される必要がある。
【符号の説明】
【００４４】
１１  データ通信端末
１２  受信部
１３  コネクタ
１４  コントローラ
１５  フラッシュメモリ
１６  表示装置
１７  コネクタ
１８  本体メモリ
１９  表示部
２０  外部メモリ
【図１】
2012222716.tif 000003
【図２】
2012222716.tif 000004
【図３】
2012222716.tif 000005